(57)【要約】【課題】  従来は、少し粘着性を持たせた軟質のシートをラベル状にし貼付してなるもので、携帯機に直接貼り付けるため、貼り付け位置が限定され、貼り付けられない機種もある。また、ポケットの形状や材質によって、効果が期待できないこともある。【解決手段】  胸ポケットに入れて使用するもので、弾性体により波形に形成したスリップ止本体の周囲に、スリップ止本体を保持する保持体を設けてなることを特徴とする。【選択図】図３
2014016023.tif 000002
【特許請求の範囲】
【請求項１】
胸ポケットに入れて使用するもので、弾性体により波形に形成したスリップ止本体の周囲に、スリップ止本体を保持する保持体を設けてなることを特徴とするスリップ止パット。
【請求項２】
スリップ止本体の上下に隙間を設けると共に、保持体が方形状の枠で、内側上下方向中央に、隙間を介してスリップ止本体と枠を連結する連結片を設け、スリップ止本体の両側と枠の両側内側を固着してなることを特徴とする請求項１記載のスリップ止パット。
【請求項３】
スリップ止本体の上下端面全体に、全面薄膜による保持体を設けてなることを特徴とする請求項１記載のスリップ止パット。
【請求項４】
スリップ止本体の上下端面の水平方向中心線上下に、半面薄膜による保持体を設けてなることを特徴とする請求項１記載のスリップ止パット。
【請求項５】
スリップ止本体の表面と裏面の平滑度を変えてなることを特徴とする請求項１，２，３又は４記載のスリップ止パット。
【発明の詳細な説明】
【技術分野】
【０００１】  本発明は、服のポケットに入れた携帯電話等の落下を防止するスリップ止パットに関するものである。
【背景技術】
【０００２】  従来の技術として、携帯機器本体に少し粘着性を持たせた軟質のシートをラベル状にし貼付する。また印刷されたラベルにも塗布したもの又は既に貼付されている印刷ラベルの上から貼付できる、印刷面の保護も兼ねた透明粘着シートがある。（特許文献１参照）【０００３】  また、別の従来の技術として、携帯電話の裏面に貼り付け手使用される実質的にシート状の部材であって、前記シート状部材が滑り止め性を有する材質より成り、該シート状部材の総厚みが０．５〜１．５ｍｍで、該シート状部材の表面側には、断面凹状の線状溝が一定ピッチで複数本設けられている一方、裏面側には粘着加工が施されていることを特徴とする携帯電話用滑り止め部材がある。（特許文献２参照）
【先行技術文献】
【０００４】
【特許文献１】  特開２０００−１６２９６９号公報
【特許文献２】  実用新案登録第３０８７３２１号公報
【発明の概要】
【発明が解決使用とする課題】
【０００５】  上記前者は、少し粘着性を持たせた軟質のシートをラベル状にし貼付してなるもので、携帯電話に直接貼り付けるため、貼り付け位置が限定され、貼り付けられない機種もある。
また、ポケットの形状や材質によって、効果が期待できないこともある。
【０００６】  上記後者は、携帯電話の裏面に貼り付けて使用されるもので、前者と同様で、貼り付け位置が限定される。
また、ポケットの形状や材質によって、効果が期待できないこともある。
【０００７】  本発明は、このような従来の構成が有していた問題を解決しようとするもので、スリップ止本体と保持体により携帯電話の形状や大きさ・形態に関係なく密着（係止）できると共に、ポケットの大きさや材質に関係なく、フレキシブルに密着できるため、スリップ止め効果が高い。
また、スリップ止本体の表面と裏面の平滑度を変えることにより、スベリ止め効果をさらにアップすることができるスリップ止パットを提供することを目的とする。
【課題を解決するための手段】
【０００８】  本発明は、上記目的を達成するため、胸ポケットに入れて使用するもので、弾性体により波形に形成したスリップ止本体の周囲に、スリップ止本体を保持する保持体を設けてなること。スリップ止本体の上下に隙間を設けると共に、保持体が方形状の枠で、上下方向中央に、隙間を介してスリップ止本体と枠を連結する連結片を設け、スリップ止本体の両側と枠の両側内側を固着してなること。スリップ止本体の上下端面全体に、全面薄膜による保持体を設けてなること。スリップ止本体の上下端面の水平方向中心線上下に、半面薄膜による保持体を設けてなること。スリップ止本体の表面と裏面の平滑度を変えてなることを特徴とする。
【発明の効果】
【０００９】１）スリップ止本体と保持体の組み合わせにより、ポケットの中に入れて自立すると共に、フレキシブルに動くスリップ止本体により、携帯電話等を確実に密着（係止）し、落下防止できる。
２）連結片により、スリップ止本体を前後に座屈することなく上下に動くことにより、特に複雑な形状のものに対してよりスリップ止効果を有する。
３）全面薄膜による保持体により、補強効果と小型化になり、小さなポケットにも入る。また、凹凸のものであれば保持体内に入り、左右のズレを防止する。
４）半面薄膜による保持体により、小型化で、かつスリップ止本体の上端及び下端が突出しており、屈折しにくく軽量化でき携帯電話とポケット内面に確実に密着（係止）する。
５）平滑度を変えることにより、特にメッシュポケット等の場合、凹凸状にすることにより、スベリ止め効果を向上させてなる。
【図面の簡単な説明】
【００１０】
【図１】本発明の第１実施例のスリップ止パットの平面図。
【図２】本発明の第１実施例のスリップ止パットの底面図。
【図３】本発明の第１実施例のスリップ止パットの端面図。
【図４】本発明の第１実施例のスリップ止パットをポケットに入れた一部縦断面図。
【図５】本発明の第１実施例のスリップ止パットを斜状にした一部縦断面図。
【図６】本発明の第２実施例のスリップ止パットの斜視図。
【図７】本発明の第２実施例のスリップ止パットの断面図。
【図８】本発明の第３実施例のスリップ止パットの斜視図。
【図９】本発明の第３実施例のスリップ止パットの断面図。
【発明を実施するための形態】
【００１１】１は、スリップ止パットである。
２は、弾性体（例えば、ゴム系の素材）により波形に形成したスリップ止本体である。
３は、スリップ本体２を一定の形状（位置）に保持する保持体で、スリップ止本体２の上下に隙間を設け、方形状の枠３ａを連結する連結片３ｂを設け、スリップ止本体２の両側と枠３ａの両側内側を一体に固着してある。
なお、連結片３ｂはスリップ止本体２の中央側面に設けた連結膜２ａに一体に固着してある。（図１・図２・図３参照）
【００１２】  上記スリップ止パットの使用例を説明する。
例えば、服ＦのポケットＰ内にスリップ止パット１を入れ、その後方に携帯電話Ｋを入れる。
その後、前かがみの動作をした時、携帯電話Ｋの表面にスリップ止本体２の上端部が当接（係止）し、スベリ止め効果を有する。
また、スリップ止本体２の下端部がポケットＫの内面に当接（係止）し、スリップ止め効果を発揮する。
よって、携帯電話ＫがポケットＰより落下することを防止できる。（図４・図５参照）
なお、連結片３ｂを中心に左右のスリップ止本体２が上下動し、当接（密着）性が高い。
【００１３】  つぎに、他の実施例のスリップ止パットを説明する。
スリップ止パット２１は、上記と同様なスリップ止本体２２の上下端面全体に、薄膜による保持体２３を設けてなるものであり、小型化できる。（図６・図７参照）
【００１４】  スリップ止パット３１は、上記と同様なスリップ止本体３２の上下端面の水平方向中心線Ｔ上下に、半面薄膜による保持体３３を設けてある。（図８・図９参照）
【００１５】  上記各実施例において、材質は特に限定するものではなく、弾性を有し、スベリ止め機能があれば特に限定しない。
また、大きさにおいても必要に応じて決めればよい。
さらに、スリップ止本体の表面と裏面の平滑度（あらさ）を変えることにより、目的別に使用できる。
例えば、ポケットの材質や形状、入れるものの材質や形状を考えて対応するものである。
【符号の説明】
【００１６】  １−−−スリップ止パット
２−−−スリップ本体
３−−−保持体
Ｆ−−−服
Ｐ−−−ポケット
Ｋ−−−携帯電話
【図１】
2014016023.tif 000003
【図２】
2014016023.tif 000004
【図３】
2014016023.tif 000005
【図４】
2014016023.tif 000006
【図５】
2014016023.tif 000007
【図６】
2014016023.tif 000008
【図７】
2014016023.tif 000009
【図８】
2014016023.tif 000010
【図９】
2014016023.tif 000011